(57)【特許請求の範囲】
【請求項１】
正極側受電部及び負極側受電部を備えた面発光パネルをケースに収容してなる面発光モジュールであって、
前記ケース内に収容された前記面発光パネルに重ねられた接続基板と、
前記接続基板に重ねられた第１の導電部材と、を有し、
前記面発光パネルから放出された光が出射される面とは反対側の面の各辺に、前記面発光パネルの前記正極側受電部及び前記負極側受電部と導通した正極接続端子及び負極接続端子が設けられ、
前記接続基板は、前記面発光パネルと対向する表面に、前記面発光パネルの前記正極側受電部と導通した表面側正極電極パターンと、前記面発光パネルの前記負極側受電部と導通した表面側負極電極パターンとを備え、かつ、裏面の各辺に、前記表面側正極電極パターンと導通した裏面側正極電極パターンと、前記表面側負極電極パターンと導通した裏面側負極電極パターンとを少なくとも一組ずつ備えており、
前記第１の導電部材は、絶縁性を有する基材と、該基材に埋設された複数の導電性ワイヤーと、を備え、前記第１の導電部材の各辺には、前記正極接続端子及び前記負極接続端子が設けられ、前記正極接続端子及び前記負極接続端子は、前記接続基板の対応する辺に形成されている前記裏面側正極電極パターン及び前記裏面側負極電極パターンに導通しており、
一群の前記導電性ワイヤーの一端は、前記基材の表面から突出して前記接続基板の前記裏面側正極電極パターンに接触し、他端は前記基材の裏面から突出して前記正極接続端子を形成しており、他の一群の前記導電性ワイヤーの一端は、前記基材の表面から突出して前記接続基板の前記裏面側負極電極パターンに接触し、他端は前記基材の裏面から突出して前記負極接続端子を形成している、面発光モジュール。
【請求項２】
正極側受電部及び負極側受電部を備えた面発光パネルをケースに収容してなる面発光モジュールであって、
前記ケース内に収容された前記面発光パネルに重ねられた接続基板と、
前記接続基板に重ねられた第１の導電部材と、
前記面発光パネルと前記接続基板との間に介在する第２の導電部材と、を有し、
前記面発光パネルから放出された光が出射される面とは反対側の面の各辺に、前記面発光パネルの前記正極側受電部及び前記負極側受電部と導通した正極接続端子及び負極接続端子が設けられ、
前記接続基板は、前記面発光パネルと対向する表面に、前記面発光パネルの前記正極側受電部と導通した表面側正極電極パターンと、前記面発光パネルの前記負極側受電部と導通した表面側負極電極パターンとを備え、かつ、裏面の各辺に、前記表面側正極電極パターンと導通した裏面側正極電極パターンと、前記表面側負極電極パターンと導通した裏面側負極電極パターンとを少なくとも一組ずつ備えており、
前記第１の導電部材の各辺には、前記正極接続端子及び前記負極接続端子が設けられ、前記正極接続端子及び前記負極接続端子は、前記接続基板の対応する辺に形成されている前記裏面側正極電極パターン及び前記裏面側負極電極パターンに導通しており、
前記第２の導電部材は、絶縁性を有する基材と、該基材に埋設された複数の導電性ワイヤーと、を備え、一群の前記導電性ワイヤーの一端は、前記基材の表面から突出して前記面発光パネルの前記正極側受電部に接触し、他端は前記基材の裏面から突出して前記接続基板の前記表面側正極電極パターンに接触しており、他の一群の前記導電性ワイヤーの一端は、前記基材の表面から突出して前記面発光パネルの前記負極側受電部に接触し、他端は前記基材の裏面から突出して前記接続基板の前記表面側負極電極パターンに接触している、面発光モジュール。
【請求項３】
前記面発光パネルの前記正極側受電部と前記接続基板の前記表面側正極電極パターンとは、異方性導電接着剤を介して導通され、
前記面発光パネルの前記負極側受電部と前記接続基板の前記表面側負極電極パターンとは、異方性導電接着剤を介して導通されていることを特徴とする、請求項１に記載の面発光モジュール。
【請求項４】
前記面発光パネルと前記接続基板との間に介在する第２の導電部材を有し、
前記第２の導電部材は、絶縁性を有する基材と、該基材に埋設された複数の導電性ワイヤーとを有し、
一群の前記導電性ワイヤーの一端は、前記基材の表面から突出して前記面発光パネルの前記正極側受電部に接触し、他端は前記基材の裏面から突出して前記接続基板の前記表面側正極電極パターンに接触しており、
他の一群の前記導電性ワイヤーの一端は、前記基材の表面から突出して前記面発光パネルの前記負極側受電部に接触し、他端は前記基材の裏面から突出して前記接続基板の前記表面側負極電極パターンに接触していることを特徴とする、請求項１に記載の面発光モジュール。
【請求項５】
請求項１乃至請求項４のいずれか１項に記載の面発光モジュールと、該面発光モジュールを着脱可能な器具本体とを有する面発光照明装置であって、
前記器具本体には、前記面発光モジュールを収容可能な収容部が設けられ、
前記収容部の底面の少なくとも一辺には、前記面発光モジュールの前記正極接続端子及び前記負極接続端子と接触して導通する正極受電端子及び負極受電端子が設けられていることを特徴とする面発光照明装置。
【請求項６】
前記収容部の対向する第１の内壁面及び第２の内壁面には、前記面発光モジュールの第１の側面及び第２の側面に形成されている係止穴にそれぞれ係合可能な突起が設けられ、
前記収容部の第３の内壁面には、該第３の内壁面の外側に突出した第１の位置と、該第３の内壁面の内側に後退した第２の位置との間で往復移動可能であるとともに、バネによって前記第１の位置に向けて常時付勢されている係止片が設けられ、
前記係止片は、前記第１の位置にあるときに、前記面発光モジュールの第３の側面に形成されている係止溝内に進入し、前記バネによる付勢に抗して前記第２の位置に移動されると、前記係止溝から離脱することを特徴とする、請求項５に記載の面発光照明装置。
【発明の詳細な説明】
【技術分野】
【０００１】
本発明は、面状光源を備えた面発光モジュール及び面発光照明装置に関するものである。
【背景技術】
【０００２】
面発光照明装置の光源に用いられる面状光源の一つとして有機ＥＬパネル（Organic Light Emitting Panel）が注目されている。
【０００３】
例えば、特許文献１には、次のような照明装置が記載されている。特許文献１に記載されている照明装置は、器具本体と、該器具本体に着脱される有機ＥＬパネルとを備えている。器具本体の一端には、パネル装着部が回転自在に設けられており、パネル装着部には、有機ＥＬパネルをスライド自在に保持する保持部が設けられている。この照明装置では、有機ＥＬパネルをスライドさせてパネル装着部の保持部に取り付け、その後にパネル装着部を回動させると、有機ＥＬパネルの発光面とは反対側の面に設けられている電気接点が器具本体の接点部と接触し、有機ＥＬパネルへの給電が可能となる。
【０００４】
また、特許文献２には、次のような照明装置が記載されている。特許文献２に記載されている照明装置は、面発光モジュール（有機ＥＬパネル）と、面発光モジュールが搭載されるボディと、ボディに搭載された面発光モジュールを保持する保持カバーとを備えている。ボディには、面発光モジュールの給電端子に電源を供給するための給電部材が設けられている。この照明装置では、面発光モジュールをボディの給電部材の上に載せ、その後に保持カバーをボディに取り付けると、面発光モジュールの給電端子とボディの給電部材とが接触し、面発光モジュールへの給電が可能となる。なお、給電部材は自己の弾性力によって給電端子に弾接する。
【先行技術文献】
【特許文献】
【０００５】
【特許文献１】特開２００７−５２２７号公報（段落［００４５］〜［００４６］、図９）
【特許文献２】特開２００９−７６３８８号公報（段落［００１２］〜［００１４］、図１、図２）
【発明の概要】
【発明が解決しようとする課題】
【０００６】
ここで、一般的な有機ＥＬパネルは、透光性基板と、透光性基板の一方の主面（裏面）に形成された発光部とを少なくとも備えている。さらに、発光部は、透光性基板の裏面に形成された透明電極と、透明電極の上に積層された有機化合物（発光層）と、発光層の上に積層された対向電極（「反射電極」と呼ばれることもある。）とから構成されている。換言すれば、透明電極と対向電極との間に発光層が挟持されている。そして、透明電極と対向電極との間に所定の電圧が印加されると、発光層から光が放出される。発光層から放出された光の一部は、透明電極及び透光性基板を順次透過し、透光性基板の他方の主面（表面）から外部に出射される。また、発光層から放出された光の他の一部は、対向電極によって反射された後に、透明電極及び透光性基板を透過し、透光性基板の表面から外部に出射される。
【０００７】
ここで、透明電極の一部は、発光層の少なくとも一辺よりも外側にまで延在して正極側受電部を形成しており、対向電極の一部は、発光層の少なくとも他の一辺よりも外側にまで延在して負極側受電部を形成している。そして、正極側受電部及び負極側受電部が任意の手段を介して外部電源に接続されることにより、透明電極と対向電極との間に所定の電圧が印加される。
【０００８】
既述のように、特許文献１に記載されている照明装置では、有機ＥＬパネルに設けられている受電部と外部電源とを接続する手段として次のような手段が採用されている。すなわち、有機ＥＬパネルをスライドさせて取り付けることができる保持部を備えたパネル装着部を有し、有機ＥＬパネルが取り付けられたパネル装着部を回動させると、有機ＥＬパネルの電気接点（正極側受電部及び負極側受電部に相当する。）が器具本体の接点部と接触する。なお、器具本体の接点部が外部電源に接続されることは言うまでもない。
【０００９】
また、特許文献２に記載されている照明装置では、有機ＥＬパネルに設けられている給電部と外部電源とを接続する手段として次のような手段が採用されている。すなわち、面発光モジュールが搭載されるボディに給電部材が設けられ、該ボディに面発光モジュールを搭載すると、面発光モジュールの給電端子（正極側受電部及び負極側受電部に相当する。）とボディの給電部材とが接触する。ここでも、ボディの給電部材が外部電源に接続されることは言うまでもない。
【００１０】
しかし、一般的な有機ＥＬパネルにおける受電部は、図９（ａ）に示す状態または同図（ｂ）に示す状態のいずれか一方の状態で配置されている。
【００１１】
すなわち、図９（ａ）に示す有機ＥＬパネル２０では、透光性基板２１の裏面の第１の辺に沿って帯状の正極側受電部２２が配置され、第１の辺に隣接する第２の辺に沿って帯状の負極側受電部２３が配置されている。一方、図９（ｂ）に示す有機ＥＬパネル２０では、透光性基板２１の裏面の第１の辺及び第１の辺の対辺である第３の辺に沿って帯状の正極側受電部２２が平行に配置されている。また、第１の辺に隣接する第２の辺及び第２の辺の対辺である第４の辺に沿って帯状の負極側受電部２３が平行に配置されている。なお、各受電部が発光層の外側まで延在した透明電極又は対向電極の一部によって形成されていることは既述の通りである。図９（ａ）（ｂ）に示す有機ＥＬパネル２０では、発光層２４の外側まで延在した透明電極２５の一部によって正極側受電部２２が形成され、対向電極２６の一部によって負極側受電部２３が形成されている。なお、透明電極２５の一部によって負極側受電部２３が形成され、対向電極２６の一部によって正極側受電部２２が形成される場合もある。
【００１２】
また、透明電極２５や対向電極２６を発光層２４の外側まで延在させることなく正極側受電部２２や負極側受電部２３を形成することも可能である。すなわち、図９（ａ）や図９（ｂ）において正極側受電部２２及び負極側受電部２３が形成されている位置に導体層を形成し、その導体層を発光層２４の内側に形成されている透明電極２５や対向電極２６に導通させて受電部とすることも可能である。しかし、いずれの場合にも受電部の位置は図９（ａ）または同図（ｂ）に示す位置に限定される。
【００１３】
有機ＥＬパネルにおける受電部の配置が上記のような所定の配置に限定されている結果、有機ＥＬパネルを照明装置の光源として利用するに際して次のような課題がある。すなわち、有機ＥＬパネルを光源とする照明装置は、有機ＥＬパネルと該有機ＥＬパネルが装着される器具本体とを少なくとも有する。そして、器具本体には外部電源に接続された正極側給電端子と負極側給電端子とが設けられ、有機ＥＬパネルが器具本体に装着されると、有機ＥＬパネルの正極側受電部と器具本体の正極側給電端子とが導通し、有機ＥＬパネルの負極側受電部と器具本体の負極側給電端子とが導通する。
【００１４】
ここで、照明装置の光源である有機ＥＬパネルは、蛍光灯や電球と同じく、必要に応じて交換する必要がある。しかし、有機ＥＬパネルの受電部の配置が上記のような所定の配置に限定されているので、器具本体の給電端子は上記有機ＥＬパネルの受電部の配置に応じて配置されている。よって、器具本体に有機ＥＬパネルを装着する際の該パネルの向きは予め一意に定められる。換言すれば、有機ＥＬパネルを所定の向きで器具本体に装着しなければ、有機ＥＬパネルの受電部と器具本体の給電端子とが接続されないか、または正しく接続されない。
【００１５】
したがって、有機ＥＬパネルを交換する際には、該パネルの向きを確認し、所定の向きで器具本体に装着しなくてはならず、不便である。
【００１６】
本発明は、上記課題に鑑みてなされたものであり、器具本体へ装着する際の向きが限定されない面発光モジュールと該モジュールを備えた面発光照明装置を実現することを目的とする。
【課題を解決するための手段】
【００１７】
本発明の面発光モジュールは、正極側受電部及び負極側受電部を備えた面発光パネルをケースに収容してなる面発光モジュールであって、前記ケース内に収容された前記面発光パネルに重ねられた接続基板と、前記接続基板に重ねられた第１の導電部材と、を有し、前記面発光パネルから放出された光が出射される面とは反対側の面の各辺に、前記面発光パネルの前記正極側受電部及び前記負極側受電部と導通した正極接続端子及び負極接続端子が設けられている。前記接続基板は、前記面発光パネルと対向する表面に、前記面発光パネルの前記正極側受電部と導通した表面側正極電極パターンと、前記面発光パネルの前記負極側受電部と導通した表面側負極電極パターンとを備え、かつ、裏面の各辺に、前記表面側正極電極パターンと導通した裏面側正極電極パターンと、前記表面側負極電極パターンと導通した裏面側負極電極パターンとを少なくとも一組ずつ備えている。前記第１の導電部材は、絶縁性を有する基材と、該基材に埋設された複数の導電性ワイヤーと、を備え、前記第１の導電部材の各辺には、前記正極接続端子及び前記負極接続端子が設けられ、前記正極接続端子及び前記負極接続端子は、前記接続基板の対応する辺に形成されている前記裏面側正極電極パターン及び前記裏面側負極電極パターンに導通している。一群の前記導電性ワイヤーの一端は、前記基材の表面から突出して前記接続基板の前記裏面側正極電極パターンに接触し、他端は前記基材の裏面から突出して前記正極接続端子を形成しており、他の一群の前記導電性ワイヤーの一端は、前記基材の表面から突出して前記接続基板の前記裏面側負極電極パターンに接触し、他端は前記基材の裏面から突出して前記負極接続端子を形成している。
また、本発明の他の面発光モジュールは、正極側受電部及び負極側受電部を備えた面発光パネルをケースに収容してなる面発光モジュールであって、前記ケース内に収容された前記面発光パネルに重ねられた接続基板と、前記接続基板に重ねられた第１の導電部材と、前記面発光パネルと前記接続基板との間に介在する第２の導電部材と、を有し、前記面発光パネルから放出された光が出射される面とは反対側の面の各辺に、前記面発光パネルの前記正極側受電部及び前記負極側受電部と導通した正極接続端子及び負極接続端子が設けられている。前記接続基板は、前記面発光パネルと対向する表面に、前記面発光パネルの前記正極側受電部と導通した表面側正極電極パターンと、前記面発光パネルの前記負極側受電部と導通した表面側負極電極パターンとを備え、かつ、裏面の各辺に、前記表面側正極電極パターンと導通した裏面側正極電極パターンと、前記表面側負極電極パターンと導通した裏面側負極電極パターンとを少なくとも一組ずつ備えている。前記第１の導電部材の各辺には、前記正極接続端子及び前記負極接続端子が設けられ、前記正極接続端子及び前記負極接続端子は、前記接続基板の対応する辺に形成されている前記裏面側正極電極パターン及び前記裏面側負極電極パターンに導通している。前記第２の導電部材は、絶縁性を有する基材と、該基材に埋設された複数の導電性ワイヤーと、を備え、一群の前記導電性ワイヤーの一端は、前記基材の表面から突出して前記面発光パネルの前記正極側受電部に接触し、他端は前記基材の裏面から突出して前記接続基板の前記表面側正極電極パターンに接触しており、他の一群の前記導電性ワイヤーの一端は、前記基材の表面から突出して前記面発光パネルの前記負極側受電部に接触し、他端は前記基材の裏面から突出して前記接続基板の前記表面側負極電極パターンに接触している。
【発明の効果】
【００１８】
器具本体へ装着する際の向きが限定されない面発光モジュールと該モジュールを備えた面発光照明装置を実現することができる。
【図面の簡単な説明】
【００１９】
【図１Ａ】本発明の面発光モジュールの第１の実施形態を示す背面側斜視図である。
【図１Ｂ】本発明の面発光モジュールの第１の実施形態を示す正面側斜視図である。
【図２】図１に示す面発光モジュールの構造を示す分解斜視図である。
【図３】（ａ）は図１に示す接続基板の表面側平面図、（ｂ）は裏面側平面図である。
【図４Ａ】図１に示す面発光モジュールを光源とする面発光照明装置の器具本体の下方斜視図である。
【図４Ｂ】図４Ａに示す器具本体への面発光モジュールの取り付け方法を示す下方斜視図である。
【図５】本発明の面発光モジュールの変形例を示す分解斜視図である。
【図６】本発明の面発光モジュールの第２の実施形態を示す背面側斜視図である。
【図７】図６に示す面発光モジュールの構造を示す一部省略の分解斜視図である。
【図８】図６に示す面発光モジュールを光源とする面発光照明装置の器具本体の下方斜視図である。
【図９】（ａ）、（ｂ）は一般的な有機ＥＬパネルにおける受電部の異なる配置状態を示す平面図である。
【発明を実施するための形態】
【００２０】
（第１の実施形態）
以下、本発明の面発光照明装置の第１の実施形態について説明する。本実施形態に係る面発光照明装置は、器具本体と、該器具本体に着脱可能な光源としての面発光モジュールとを有する。
【００２１】
図１は、本実施形態に係る面発光照明装置を構成する面発光モジュール１Ａの外観斜視図であり、（ａ）は背面（裏面）側斜視図、（ｂ）は正面（表面）側斜視図である。図２は、面発光モジュール１Ａの構造を示す分解斜視図である。
【００２２】
図２に示すように、面発光モジュール１Ａは、ケース本体１０と、ケース本体１０の内側に配置された有機ＥＬパネル２０、パネル側導電性シート３０、接続基板４０及びカバー側導電性シート５０と、ケース本体１０の一面を塞ぐカバー６０とを有する。なお、パネル側導電性シート３０は本発明の第２の導電部材に相当し、カバー側導電性シート５０は第１の導電部材に相当する。
【００２３】
図２に示すように、ケース本体１０は、合成樹脂によって形成された矩形枠状の部材である。ケース本体１０の内側には、有機ＥＬパネル２０の周縁が重ねられる保持部１１が一体成形されている。
【００２４】
有機ＥＬパネル２０は、既存の一般的な有機ＥＬパネルであって、図９（ｂ）に示した構造を有する。すなわち、透光性基板２１と、透光性基板２１の裏面に形成された発光部とを少なくとも備え、発光部は、透明電極２５と、透明電極２５の上に積層された発光層２４と、発光層２４の上に積層された対向電極２６とから構成されている。また、透光性基板裏面の対向する二辺には、透明電極２５の一部によって正極側受電部２２が形成され、対向する他の二辺には、対向電極２６によって負極側受電部２３が形成されている。
【００２５】
再び図２を参照する。有機ＥＬパネル２０は、ケース本体１０の内側にほぼ隙間なく収まる形状及び寸法を有しており、その発光面がケース本体１０の保持部１１と対向する向きでケース本体１０の内側に嵌め込まれ、発光面の周縁（四辺）が保持部１１の上に重ねられている。換言すれば、ケース本体１０の内側に嵌め込まれた有機ＥＬパネル２０は、その周縁が保持部１１によって保持されており、有機ＥＬパネル２０の発光面から放出された光は、保持部１１の内側の開口部１４から外部に出射される。
【００２６】
パネル側導電性シート３０は、有機ＥＬパネル２０と略同一の外形寸法を有する矩形枠状に成形されたシリコーンゴム製の基材と、該基材の内部に埋め込まれた多数の導電性ワイヤー（不図示）とを有する。具体的には、基材の内部には、その厚み方向に沿って延びる多数の導電性ワイヤーが並列に埋設されており、各ワイヤーの両端部は、基材の表裏面からそれぞれ僅かに突出している。かかる構造を有するパネル側導電性シート３０は、図２に示すように、ケース本体１０の内側に嵌め込まれた有機ＥＬパネル２０の裏面に重ねて配置されている。さらに、パネル側導電性シート３０は、基材の表面が有機ＥＬパネル２０の裏面と対向する向きで有機ＥＬパネル２０の裏面に重ねられている。よって、パネル側導電性シート３０の基材表面から突出している各導電性ワイヤーの端部は、有機ＥＬパネル２０の裏面に設けられている正極側給電部２２または負極側給電部２３（図９（ｂ））と接触し、電気的に導通している。
【００２７】
次に、接続基板４０について説明する。接続基板４０は、パネル側導電性シート３０と略同一の形状及び寸法を有する枠状部材である。接続基板４０の両面には、それぞれ電極パターン及び配線パターンが形成されている。図３（ａ）は、接続基板４０の表面に形成されている電極パターン及び配線パターンを示しており、同図（ｂ）は裏面に形成されている電極パターン及び配線パターンを示している。図３（ａ）に示すように、接続基板表面の対向する２辺には、各辺に沿って帯状の表面側正極電極パターン４１ａが形成されており、対向する他の２辺には、各辺に沿って帯状の表面側負極電極パターン４２ａがそれぞれ形成されている。一方、図３（ｂ）に示すように、接続基板裏面の各辺には、帯状の裏面側正極電極パターン４１ｂと裏面側負極電極パターン４２ｂとがそれぞれ一組ずつ形成されている。そして、接続基板裏面の各辺に形成されている裏面側正極電極パターン４１ｂは、接続基板表面に形成されている２つの表面側正極電極パターン４１ａのいずれか一方と接続されており、接続基板裏面の各辺に形成されている裏面側負極電極パターン４２ｂは、接続基板表面に形成されている２つの表面側負極電極パターン４２ａのいずれか一方と接続されている。なお、接続基板裏面に形成されている電極パターンと接続基板表面に形成されている電極パターンとは、接続基板４０を貫通するスルーホール４３及び接続基板４０の表裏面に形成された配線パターン４４を介して上記のように接続されている。
【００２８】
図２に示すように、上記構造を有する接続基板４０は、その表面がパネル側導電性シート３０の基材裏面と対向する向きで、パネル側導電性シート３０の上に重ねられている。よって、接続基板４０の表面に形成されている表面側正極電極パターン４１ａ及び表面側負極電極パターン４２ａは、パネル側導電性シート３０の基材裏面から突出している導電性ワイヤーの端部と接触している。さらに、接続基板４０は、その表面に形成されている表面側正極電極パターン４１ａが有機ＥＬ素子２０の裏面に設けられている正極側受電部２２（図９（ａ））と重なり、表面側負極電極パターン４２ａが有機ＥＬ素子２０の裏面に設けられている負極側受電部２３（図９（ｂ））と重なる向きでパネル側導電性シート３０の上に重ねられている。結果、接続基板４０の表面側正極電極パターン４１ａは、パネル側導電性シート３０（導電性ワイヤー）を介して有機ＥＬ素子２０の正極側受電部２２と電気的に導通している。また、接続基板４０の表面側負極電極パターン４２ａは、パネル側導電性シート３０（導電性ワイヤー）を介して有機ＥＬ素子２０の負極側受電部２３と電気的に導通している。
【００２９】
さらに、接続基板４０の表面に形成されている２つの表面側正極電極パターン４１ａは、接続基板４０の裏面に形成されている４つの裏面側正極電極パターン４１ｂにそれぞれ接続され、接続基板４０の表面に形成されている２つの表面側負極電極パターン４２ａは、接続基板４０の裏面に形成されている４つの裏面側負極電極パターン４２ｂにそれぞれ接続されていることは既述のとおりである。
【００３０】
要するに、接続基板裏面の各辺に形成されている４つの裏面側正極電極パターン４１ｂは、有機ＥＬ素子２０の正極側受電部２２と電気的に導通している。また、接続基板裏面の各辺に形成されている４つの裏面側負極電極パターン４２ｂは、有機ＥＬ素子２０の負極側受電部２３と電気的に導通している。
【００３１】
再び図２を参照する。図示されているカバー側導電性シート５０は、基本的にパネル側導電性シート３０と共通の形状、寸法及び構造を有する。すなわち、カバー側導電性シート５０は、有機ＥＬパネル２０と略同一の外形寸法を有する矩形枠状に成形されたシリコーンゴム製の基材と、基材の内部に埋め込まれた多数の導電性ワイヤー（不図示）とを有し、各ワイヤーの両端部は、基材の表裏面からそれぞれ僅かに突出している。
【００３２】
但し、カバー側導電性シート５０の基材各辺の裏面側には、他の部分よりも厚い凸部５１が２つずつ形成されている。そして、各辺における凸部５１の形成位置は、接続基板裏面の対応する辺に形成されている裏面側正極電極パターン４１ｂ及び裏面側負極電極パターン４２ｂ（図３（ｂ））の位置に対応している。すなわち、図２に示すように、カバー側導電性シート５０は、基材表面が接続基板４０の裏面と対向する向きで接続基板４０の裏面に重ねられており、このとき、接続基板裏面に設けられている裏面側正極電極パターン４１ｂまたは裏面側負極電極パターン４２ｂの真上に凸部５１が配置される。したがって、凸部５１を貫通して基材表面から突出している導電性ワイヤーの一端は、接続基板の裏面側正極電極パターン４１ｂまたは裏面側負極電極パターン４２ｂと接触している。
【００３３】
より具体的には、基材裏面の各辺に形成されている２つの凸部５１の一方を貫通している一群の導電性ワイヤーは、接続基板裏面の対応する一辺に設けられている裏面側正極電極パターン４１ｂと接触し、２つの凸部５１の他方を貫通している他の一群の導電性ワイヤーは、接続基板裏面の対応する一辺に設けられている裏面側負極電極パターン４２ｂと接触している。
【００３４】
要するに、カバー側導電性シート５０の各辺には、有機ＥＬパネル２０の正極側受電部２２（図９（ｂ））と電気的に導通した一群の導電性ワイヤー（正極接続端子）と、有機ＥＬパネル２０の負極側受電部２３（図９（ｂ））と電気的に導通した他の一群の導電性ワイヤー（負極接続端子）とが一組ずつ設けられている。
【００３５】
カバー６０は、合成樹脂によって形成された平板状の部材である。カバー６０は、ケース本体１０の内側にほぼ隙間なく嵌る形状及び寸法を有する。さらに、カバー６０の各辺には、第２の導電性シート５０の各凸部５１を受け入れ可能な切り欠き６１がそれぞれ２つずつ形成されている。
【００３６】
図２に示すように、上記構造を有するカバー６０は、カバー側導電性シート５０の上に重ねて配置されており、カバー側導電性シート５０の各凸部５１は、カバー６０の対応する切り欠き６１に嵌っている（図１（ａ）参照）。ここで、カバー側導電性シート５０の各凸部５１の高さ（厚み）は、カバー６０の厚みと同一か、僅かに低い（薄い）。よって、カバー６０の切り欠き６１に嵌った凸部５１の上面は、カバー６０の表面と面一か、カバー６０の表面よりも僅かに下がっている。
【００３７】
これまでの説明より、本実施形態に係る面発光モジュール１Ａでは、内蔵されている有機ＥＬパネル２０から放出された光の出射面とは反対側の背面の全ての辺に、有機ＥＬパネル２０の正極側受電部２２及び負極側受電部２３と電気的に導通した接続端子がそれぞれ設けられていることが理解できるはずである。
【００３８】
次に、本実施形態に係る照明装置を構成する器具本体について説明する。器具本体は、主に天井や壁に固定され、面発光モジュール１Ａは天井や壁に固定された器具本体に対して着脱可能（交換可能）となる。以下、具体的に説明する。
【００３９】
図４Ａは、器具本体２Ａの下方斜視図である。図４Ｂは、器具本体２Ａへの面発光モジュール１Ａの取り付け方法を示す下方斜視図である。
【００４０】
図４Ａ、図４Ｂに示すように、器具本体２Ａは、面発光モジュール１Ａをほぼ隙間なく嵌め込むことが可能な矩形凹状の収容部７０を備えている。収容部底面の少なくとも一辺（本実施形態では対向する二辺）には、不図示の電気回路を介して外部電源に接続されている正極給電端子７１と負極給電端子７２がそれぞれ設けられている。また、収容部７０の対向する２つの内側面には、面発光モジュール１Ａ（ケース本体１０）の各側面の両端にそれぞれ形成されている係止穴１２（図１Ａ）に係合可能な突起７３が設けられている。収容部７０の対向する他の２つの内側面の一方には、収容部７０の内外に進退可能な鉤状の係止片７４が設けられている。係止片７４は、不図示のバネによって、収容部７０の内側面から突出するように常時付勢されている。さらに、収容部７０の周囲には、上記バネによる付勢に抗して係止片７４を変位させ、該係止片７４を収容部７０の内側面の内側に後退させるための操作片７５が設けられている。
【００４１】
以上の構造の下、図４Ｂに示すように、器具本体２Ａの収容部７０内に設けられている突起７３を面発光モジュール１Ａの任意の角に設けられている係止穴１２（図１Ａ）に係合させると、面発光モジュール１Ａは、突起７３を介して器具本体２Ａに連結されるとともに、突起７３を回転軸として回動可能となる。その後、面発光モジュール１Ａを収容部７０の側に向けて回動させると、面発光モジュール１Ａの裏面が係止片７４に当接する。さらに面発光モジュール１Ａを収容部７０の側に向けて回動させると、係止片７４が上記バネの付勢に抗して収容部７０の内側面の内側に後退し（押し込まれ）、面発光モジュール１Ａが収容部７０内に収容される。ここで、図１Ａに示すように、面発光モジュール１Ａ（ケース本体１０）の各側面には、係止片７４を受け入れ可能な係止溝１３が形成されている。よって、上記のようにして面発光モジュール１Ａを収容部７０の内側に収容すると、バネによって常時付勢されている係止片７４が再び収容部７０の内側に突出し、係止溝１３内に進入する。これにより、面発光モジュール１Ａは、一方で突起７３により保持され、他方で係止片７４によって保持され、収容部７０内に固定される。
【００４２】
以上のようにして面発光モジュール１Ａが器具本体２Ａにセットされる。ここで、面発光モジュール１Ａの裏面の全ての辺に、内蔵されている有機ＥＬパネル２０の正極側受電部２２及び負極側受電部２３と電気的に導通した正極接続端子及び負極接続端子が一組ずつ設けられていることは既述の通りである。よって、上記のように面発光モジュール１Ａが器具本体２Ａにセットされると、収容部底面の少なくとも一辺に設けられている正極給電端子７１及び負極給電端子７２は、面発光モジュール１Ａの対応する辺に設けられている一組の正極接続端子及び負極接続端子と必ず接触して電気的に導通する。すなわち、面発光モジュール１Ａを如何なる向きで器具本体２Ａにセットした場合であっても、収容部底面に設けられている正極給電端子７１及び負極給電端子７２は、面発光モジュール１Ａに設けられている４組の正極接続端子及び負極接続端子のうちのいずれか一組の正極接続端子及び負極接続端子と必ず接続される。
【００４３】
なお、器具本体２Ａから面発光モジュール１Ａを取り外すときには、図４Ａ、Ｂに示す操作片７５をスライドさせ、係止片７４をバネの付勢に抗して後退させ、面発光モジュール１Ａの係止溝１３（図１Ａ）から離脱させる。すると、器具本体２Ａが天井面に取り付けられている場合には、面発光モジュール１Ａは自重によって下方に回動する。結果、面発光モジュール１Ａと収容部７０との間に隙間が生じ、ユーザーが面発光モジュール１Ａを把持可能となる。また、器具本体２Ａが壁面に取り付けられている場合にも面発光モジュール１Ａは自重によって手前側（ユーザー側）に回動するか、ユーザーが手前側に回動させることが可能な状態となる。いずれの場合にも、面発光モジュール１Ａが手前側に回動すると、面発光モジュール１Ａと収容部７０との間に隙間が生じ、ユーザーが面発光モジュール１Ａを把持可能となる。
【００４４】
図２や図３に示す接続基板４０は、多層基板であってもフレキシブル基板であってもよい。また、図２に示すパネル側導電性シート３０に代えて異方性導電接着剤を用いてもよい。具体的には、図５に示すように、有機ＥＬパネル２０と接続基板４０とを不図示の異方性導電接着剤を用いて固定することにより、有機ＥＬパネル２０の正極側給電部２２及び負極側給電部２３（図９（ｂ））と接続基板４０の表面側正極電極パターン４１ａ及び表面側負極電極パターン４２ａ（図３（ａ））との電気的導通を確保してもよい。この場合、図５に示されているように、図２に示したパネル側導電性シート３０が不要となるので、面発光モジュール１Ａのさらなる薄型化が可能となり、引いては面発光照明装置のさらなる薄型化も可能となる。もっとも、導電部が金属細線であるパネル側導電性シート３０を用いて有機ＥＬパネル２０と接続基板４０との電気的導通を確保した場合には、比較的高い電流を流すことが可能となるメリットがある。
【００４５】
また、図４Ａ、図４Ｂに示す操作片７５はスライド式に限られない。例えば、操作片７５と係止片７４との間に、操作片７５が押されると、バネの付勢に抗して係止片７４を後退させるリンク機構を介在させることもできる。
（第２の実施形態）
次に、本発明の面発光照明装置の第２の実施形態について説明する。本実施形態に係る面発光照明装置も、器具本体と、該器具本体に着脱可能な光源としての面発光モジュールとを有する。
【００４６】
図６は、本実施形態に係る面発光照明装置を構成する面発光モジュール１Ｂの裏面側斜視図である。本実施形態に係る面発光モジュール１Ｂの基本構成は、実施形態に係る面発光モジュール１Ａと同一であり、次の点において異なる。すなわち、実施形態１に係る面発光モジュール１Ａでは、その背面の各辺に、カバー６０の表面と面一か、或いは僅かに下がった接続端子が設けられていた。これに対し、本実施形態に係る面発光モジュール１Ｂでは、その背面の各辺に、カバー６０を貫通して外部に突出するピン形状の正極接続端子８１ａ及び負極接続端子８２ａが設けられている。
【００４７】
図７は、本実施形態に係る面発光モジュール１Ｂの構造を示す一部省略の分解斜視図である。面発光モジュール１Ｂでは、図５に示すカバー側導電性シート５０の各辺の上に、ピン形状の正極接続端子８１ａ及び負極接続端子８２ａが一組ずつ配置されている。なお、図７では、カバー側導電性シート５０の一辺に配置された正極接続端子８１ａ及び負極接続端子８２ａのみを図示し、他の辺に配置されている正極接続端子８１ａ及び負極接続端子８２ａの図示は省略してある。
【００４８】
ここで、カバー側導電性シート５０の各辺には、接続基板４０（図５）を介して有機ＥＬパネル２０の正極側受電部２２（図９（ｂ））と電気的に導通した一群の導電性ワイヤーと、有機ＥＬパネル２０の負極側受電部２３（図９（ｂ））と電気的に導通した他の一群の導電性ワイヤーとが存在していることは既述の通りである。
【００４９】
正極接続端子８１ａが一体成形されたベース部材８１ｂは、カバー側導電性シート５０の各辺にある、有機ＥＬパネル２０の正極側受電部２２（図９（ｂ））と電気的に導通した一群の導電性ワイヤーの上に重ねて配置され、これら導電性ワイヤーと導通している。一方、負極接続端子８２ａが一体成形されたベース部材８２ｂは、カバー側導電性シート５０の各辺にある、有機ＥＬパネル２０の負極側受電部２３（図９（ｂ））と電気的に導通した他の一群の導電性ワイヤーの上に重ねて配置され、これら導電性ワイヤーと導通している。
【００５０】
すなわち、正極接続端子８１ａは、カバー側導電性シート５０及び接続基板４０（図５）を介して有機ＥＬパネル２０の正極側受電部２２（図９（ｂ））と電気的に導通している。また、負極接続端子８２ａは、カバー側導電性シート５０及び接続基板４０（図５）を介して有機ＥＬパネル２０の負極側受電部２３（図９（ｂ））と電気的に導通している。
【００５１】
要するに、本実施形態に係る面発光モジュール１Ｂにおいても、内蔵されている有機ＥＬパネル２０（図５）から放出された光の出射面とは反対側の背面の全ての辺に、有機ＥＬパネル２０の正極側受電部２２及び負極側受電部２３（図９（ｂ））と電気的に導通した接続端子がそれぞれ設けられている
ここでは、正極接続端子８１ａと負極接続端子８２ａが独立したベース部材８１ｂ、８２ｂにそれぞれ設けられている形態について説明した。しかし、正極接続端子８１ａと負極接続端子８２ａが短絡することのない構造を採用することによって、正極接続端子８１ａと負極接続端子８２ａを共通のベース部材上に設けることも可能である。例えば、図７に示されている２つのベース部材８１ｂ、８２ｂを絶縁体を間に挟んで一体化させることもできる。
【００５２】
また、正極接続端子８１ａ（ベース部材８１ｂ）や負極接続端子８２ａ（ベース部材８２ｂ）を接続基板裏面の裏面側正極電極パターン４１ｂや裏面側負極電極パターン４２ｂの上に直接配置してもよい。但し、ベース部材８１ｂ、８２ａと接続基板４０との間に弾性を有するカバー側導電性シート５０を介在させた方が密着性が向上し、電気的導通の確実性がより一層向上する。
【００５３】
次に、本実施形態に係る照明装置を構成する器具本体について説明する。本実施形態に係る器具本体も、主に天井や壁に固定され、上記面発光モジュール１Ｂは天井や壁に固定された器具本体に対して着脱可能（交換可能）となる。
【００５４】
図８は、本実施形態に係る器具本体２Ｂの下方斜視図である。本実施形態に係る器具本体２Ｂの基本構成は、実施形態に係る器具本体２Ａと同一である。但し、着脱される面発光モジュール１Ｂの構造が上記のように異なることに対応し、次の点において器具本体２Ａと相違している。
【００５５】
図８に示すように、器具本体２Ｂの収容部７０の底面の各辺には、図６に示す正極接続端子８１ａ及び負極接続端子８２ａを挿入可能な一対の貫通穴８３がそれぞれ形成されている。さらに、器具本体２Ｂの背面には、不図示のコネクタが設けられており、各貫通穴８３に挿入された正極接続端子８１ａ及び負極接続端子８２ａは、該貫通穴８３に案内されて対応するコネクタの接続穴に挿入されるようになっている。
【００５６】
すなわち、面発光モジュール１Ｂを如何なる向きで器具本体２Ｂにセットした場合であっても、正極接続端子８１ａ及び負極接続端子８２ａは必ずいずれかのコネクタに必ず接続される。
【００５７】
なお、器具本体２Ｂの収容部７０の底面には、通常は底面の内側に後退しており、操作部８４が押されると底面から突出する一対の押し出し片８５が設けられている。よって、収容部７０に面発光モジュール１Ｂがセットされている状態で操作部８４が押されると、収容部底面から突出した押し出し片８５によって面発光モジュール１Ｂが収容部７０から押し出される。但し、その押し出し量は、コネクタの接続穴に挿入されている正極接続端子８１ａ及び負極接続端子８２ａが接続穴から完全には抜けない量に設定されている。これにより、操作部８４を押した際に、不用意に面発光モジュール１Ｂが収容部７０が離脱して落下するなどの不具合が回避される。
【００５８】
また、器具本体２Ｂの収容部７０の両外側には、収容部７０にセットされている面発光モジュール１Ｂを取り外すに際して、該面発光モジュール１Ｂを把持するための凹部８６が形成されている。よって、収容部７０から面発光モジュール１Ｂを取り外す際には、まず操作部８４を押して面発光モジュール１Ｂの背面を収容部７０の底面からを若干浮かせた状態とした後に、凹部８６に露出した面発光モジュール１Ｂの側面を把持して該モジュール１Ｂを収容部７０から引き抜く。
【符号の説明】
【００５９】
１Ａ、１Ｂ  面発光モジュール
２Ａ、２Ｂ  器具本体
１０  ケース本体
２０  有機ＥＬパネル
２２  正極側受電部
２３  負極側受電部
３０  パネル側導電性シート
４０  接続基板
４１ａ  表面側正極電極パターン
４１ｂ  裏面側正極電極パターン
４２ａ  表面側負極電極パターン
４２ｂ  裏面側負極電極パターン
５０  カバー側導電性シート
６０  カバー
７１  正極給電端子
７２  負極給電端子
【図１Ａ】
0005534430.tif 000002
【図１Ｂ】
0005534430.tif 000003
【図２】
0005534430.tif 000004
【図３】
0005534430.tif 000005
【図４Ａ】
0005534430.tif 000006
【図４Ｂ】
0005534430.tif 000007
【図５】
0005534430.tif 000008
【図６】
0005534430.tif 000009
【図７】
0005534430.tif 000010
【図８】
0005534430.tif 000011
【図９】
0005534430.tif 000012